(57)【要約】      （修正有）【課題】羽根板により植物の生育が阻害されず、また植物が羽根板に強固に固定され容易に脱落することのない緑化用植栽ルーバーを提供する。【解決手段】植栽マット２が羽根板１の上面に取り付けられることで、羽根板の縁による日陰等により植栽マットに取り付けられた蘚苔類植物等の植物の生育が阻害されることがなく、また接着手段や締結手段により羽根板の上面に強固に固定されることで、植栽マットと共に植物が容易に脱落することがないようになされている。【選択図】図１
2007222031.tif 000002
【特許請求の範囲】
【請求項１】
支柱間に上下方向に間隔をおいて羽根板が設けられ、該羽根板に二体の繊維集合体間に蘚苔類植物を挟んだ植栽マットが取り付けられた植栽ルーバーであって、該植栽マットが前記羽根板の上面に接着手段、締結手段のいずれか一方若しくは両方を用いて取り付けられていることを特徴とする緑化用植栽ルーバー。
【請求項２】
前記植栽マットは、繊維太さが０．１〜５０デニール、目付量が３０〜６００ｇ／ｍ２、繊維長さが３０〜１００ｍｍとなされていることを特徴とする請求項１に記載の緑化用植栽ルーバー。
【請求項３】
前記羽根板は、断面形状が板状、閉塞された箱状、又は飛行機翼状となされていることを特徴とする請求項１又は２に記載の緑化用植栽ルーバー。
【請求項４】
前記羽根板は、断面に中空部を備えたものであって、該中空部に挿通された導水管により前記植栽マットへの灌水が可能となされていることを特徴とする請求項１〜３のいずれかに記載の緑化用植栽ルーバー。
【請求項５】
前記羽根板は、回動軸により下方から支持され、該回動軸により水平方向の角度が自在に変更可能となされたものであって、前記回動軸に挿通された導水管により前記植栽マットへの灌水が可能となされていることを特徴とする請求項１〜３のいずれかに記載の緑化用植栽ルーバー。
【発明の詳細な説明】
【技術分野】
【０００１】
本発明は、支柱間に隙間を開けて複数の羽根板を設け、その羽根板に植物が取り付けられていることで日除けと緑化とを同時に行うことができる緑化用植栽ルーバーに関するものである。
【背景技術】
【０００２】
日除けと緑化とを同時に行うことができる緑化用植栽ルーバーとしては、例えば支柱同士の間に複数の羽根板を隙間をあけて取り付けたルーバーにおいて、開口容器状に形成される前記羽根板の内部に植物が植え付けられ、該羽根板の内部に対する給排水が行われ、前記羽根板の内部に、前記植物が植え付けられた基盤マットが備えられ、前記植物がコケである植栽ルーバーが開示されている（例えば特許文献１）。
【０００３】
【特許文献１】特開２００２−３４３４７号公報
【発明の開示】
【発明が解決しようとする課題】
【０００４】
しかしながら、特許文献１に記載のような従来の緑化用植栽ルーバーでは、開口容器状に形成された羽根板の内部に植物を植え付けることから、容器の縁による日陰ができて植物の生育に支障が出る恐れがあった。また羽根板に備えられた基盤マットは羽根板に強固に固定されたものではなく、基盤マットが強風等によって脱落する恐れのあるものであった。
【０００５】
本発明は上記の如き課題に鑑みてなされたものであり、羽根板により植物の生育が阻害されず、また植物が羽根板に強固に固定され容易に脱落することのない緑化用植栽ルーバーを提供せんとするものである。
【課題を解決するための手段】
【０００６】
上記目的を達成するため、本発明は以下のような構成としている。すなわち、本発明に係わる緑化用植栽ルーバーは、支柱間に上下方向に間隔をおいて羽根板が設けられ、該羽根板に二体の繊維集合体間に蘚苔類植物を挟んだ植栽マットが取り付けられた植栽ルーバーであって、該植栽マットが前記羽根板の上面に接着手段、締結手段のいずれか一方若しくは両方を用いて取り付けられていることを特徴とするものである。
【０００７】
本発明に係わる緑化用植栽ルーバーによれば、植栽マットが羽根板の上面に取り付けられることで、羽根板の縁による日陰等により植物の生育が阻害されることがなく、また接着手段や締結手段により羽根板の上面に強固に固定されることで、植物が容易に脱落することをなくすることができる。
【０００８】
また前記植栽マットは、繊維太さが０．１〜５０デニール、目付量が３０〜６００ｇ／ｍ２、繊維長さが３０〜１００ｍｍとなされていれば、締結手段や接着手段による固定がより強固なものとなり好ましい。
【０００９】
また前記羽根板は、断面形状が板状、閉塞された箱状、又は飛行機翼状となされていれば、軽量で風圧に対する高い強度を備えさせることができるようになり好ましい。
【００１０】
また前記羽根板は、断面に中空部を備えたものであって、該中空部に挿通された導水管により前記植栽マットへの灌水が可能となされていれば、灌水のための手段が目立つことなく設置でき、植栽ルーバーとしての美観を向上させることに繋がり好ましい。
【００１１】
また前記羽根板は、回動軸により下方から支持され、該回動軸により水平方向の角度が自在に変更可能となされたものであって、前記回動軸に挿通された導水管により前記植栽マットへの灌水が可能となされていれば、こちらも灌水のための手段が目立つことなく設置でき、植栽ルーバーとしての美観を向上させることに繋がり好ましい。
【発明の効果】
【００１２】
本発明に係わる緑化用植栽ルーバーによれば、植栽マットが羽根板の上面に取り付けられることで、羽根板の縁による日陰等により植物の生育が阻害されることがなく、また接着手段や締結手段により羽根板の上面に強固に固定されることで、植物が容易に脱落することをなくすることができる。
【発明を実施するための最良の形態】
【００１３】
本発明に係わる最良の実施の形態について、図面に基づき以下に具体的に説明する。
【００１４】
図１は、本発明に係わる緑化用植栽ルーバーの、実施の一形態を示すもので、（ａ）は正面図、（ｂ）は側断面図である。緑化用植栽ルーバー１０は、間隔をおいて立設された支柱３間に回動軸４が回動自在に設けられ、回動軸４の上に羽根板１が取り付けられ、更に羽根板１の上に植栽マット２が取り付けられて形成されている。羽根板１は回動軸４の上に設けられていることで、図２に示す如く水平方向の角度が回動軸４の回動に伴って自在に変更可能となされている。
【００１５】
図３は、羽根板１及び植栽マット２の詳細を示す縦断面図であり、（ａ）は全体を示す断面図、（ｂ）は側端付近の詳細を示す断面図である。羽根板１は金属製の板状体であり、羽根板１の上に植栽マット２が取り付けられている。植栽マット２は、スナゴケである蘚苔類植物２１が不織布である上部繊維集合体２２及び下部繊維集合体２３により上下から挟まれ、下部繊維集合体２３の下方には、蘚苔類植物２１を挟持する繊維集合体より繊維密度の小さい不織布である排水層２４が設けられている。上部繊維集合体２２の上面には、人工芝層２５が一体に設けられている。また植栽マット２は、接着剤層である接着手段５１により羽根板１の上面に取り付けられ、更に補助的にＬ字アングルである押さえ板６が設けられている。
【００１６】
接着手段５１は、羽根板１の上面に接着されると共に、植栽マット２の下面に浸透して硬化することで植栽マット２を羽根板１に強固に固着させるものであるが、この場合、接着手段が適用される植栽マット２を形成する排水層２４が、繊維太さ０．１〜５０デニール、目付量３０〜６００ｇ／ｍ２、繊維長さ３０〜１００ｍｍとなされていることで、接着手段５１が排水層２４の繊維の間に適度に入り込み接着強度が高められる。これらの範囲から外れて繊維が粗になると、接着手段との接着面積が不足することで植栽マット２が外れやすくなり、繊維が密になると、繊維の間に接着手段５１が入り込みにくくなって接着が表層近くに頼ることとなり、こちらも植栽マット２が外れやすくなる。
【００１７】
上部繊維集合体２２上に、一体に人工芝層２５が設けられていることで、蘚苔類植物２１の生育が不十分な状態や、降雨が少なく蘚苔類植物２１が仮死状態であっても、植栽マット２の上面を植物状に彩った状態として緑化用植栽ルーバー１０としての外観を損なうのを防ぐことができる。
【００１８】
また下部繊維集合体２３の下方に排水層２４が設けられていることで、降雨等により植栽マット２に水分が滞留することなく速やかに排水され、蘚苔類植物２１が腐敗することを防止できる。更に植栽マット２の取り付けに、補助的に押さえ板６を用いることで、はく離の起点となりやすい植栽マット２の端部を押さえて植栽マット２がはく離して脱落する恐れを小さくできる。
【００１９】
上部繊維集合体２２、下部繊維集合体２３及び排水層２４は、軽量で腐敗の恐れのない合成繊維を用いて形成した不織布を用いるのが好ましく、ポリエステル繊維等を用いた不織布が好適である。また植栽マット２１については、上部繊維集合体２２と下部繊維集合体２３との間に蘚苔類植物２１を挟んで、ニードルパンチ等の機械的絡合手段によって繊維集合体同士を部分的に絡ませて一体化したものが、工程が簡便で、蘚苔類植物２１の挟持が確実なものとなり好ましい。また機械的絡合手段においては、排水層２４も同時に絡合して下部繊維集合体２３に部分的に絡ませて一体化するようにしてもよい。
【００２０】
また植栽マット２の羽根板１への取り付けは、図４に示す如く、例えば（ａ）のように接着手段５１のみを用いて羽根板１に取り付けるようにしてもよく、（ｂ）のようにタッピングビス等の締結手段５２を用いて取り付けてもよい。また締結手段５２の締結の際には、適宜ワッシャー等を用いてもよい。締結手段５２を用いる場合でも、締結手段により固定される排水層２４は繊維太さ０．１〜５０デニール、目付量３０〜６００ｇ／ｍ２、繊維長さ３０〜１００ｍｍであるのが好ましく、この範囲より粗である場合、締結手段５２が繊維の隙間から脱落する恐れがあり、またこの範囲より密な場合、締結手段５２の挿通が困難となり、作業性が悪化することとなる。また締結手段５２を用いる場合には、更に上部繊維集合体２２及び下部繊維集合体２３に挿通した上で羽根板１に締結させるようにしてもよい。
【００２１】
上記の如く羽根板１は板状となされることで、風を面上で逃がして風荷重がかかりにくくなされているが、図５に示す如き形状として更に風荷重への対抗力を高めてもよい。例えば（ａ）のように、羽根板１を上板１１、下板１２及び側板１３により閉塞された箱状として中空部１５を設け、更に内部にリブ１４を設けることで、断面二次モーメントが極めて高められて風荷重への対抗力が大きくなされる。また（ｂ）に示す如く、湾曲した上板１１及び下板１２の間に中空部１５を設けて飛行機翼状となされることで、上板１１及び下板１２の上下方で風を円滑に流すことができ、風荷重を低減して対抗力を高めることができる。また中空部１５が設けられることで羽根板１の軽量化及び使用材料の低減も図ることができる。
【００２２】
また図６は、本発明に係わる緑化用植栽ルーバーの、変形の一例を示すもので、（ａ）は正面図、（ｂ）は縦断面図である。最上段の羽根板１について、羽根板１の上面の、幅方向の両側端に略等間隔で２０ｃｍ程の長さの防鳥針８が上方に向けて取り付けられている。防鳥針８は羽根板１の長さ方向全体に亘って取り付けられていることで、鳥が羽根板１にとまるのを阻止して鳥糞害対策とすることができる。
【００２３】
図７は、本発明に係わる緑化用植栽ルーバーの、灌水の一例を示す説明図である。導水管７は、一方の支柱３の上端から支柱３内に挿通され、支柱３内から最上段の羽根板１が取り付けられた回動軸４内に通され、回動軸４内から植栽マット２に灌水がなされる。導水管７は回動軸４の左右方向に挿通された後、他方の支柱３内に挿通され、下方に導通された後、一段下の回動軸４内に挿通されて同様に植栽マット２に灌水を行う。この機構を最下段の羽根板１の回動軸４まで繰り返すことで、灌水の手段が外部から殆ど視認されることがなくなり、緑化用植栽ルーバー１０としての美観を高めることができる。導水管７への水の送入はポンプＰ及びバルブＢにより制御され、最下段まで灌水された後の余剰水は再びポンプＰに送り込まれて再利用されるようになされている。
【００２４】
また、回動軸４内に挿通させる方法に限らず、図５の（ａ）及び（ｂ）に示した如き中空部１５が設けられた羽根板１を用いれば、その中空部１５に導水管７を挿通させることで、回動軸４に挿通させた場合と同様に灌水に係わる手段が殆ど視認されることがなく、緑化用植栽ルーバー１０としての美観を高めることに繋がる。
【００２５】
また余剰水の灌水において、図５の（ａ）に示したような形状の羽根板１で、側方に流れた余剰水を側板１３により受けて、下板１２の傾斜を利用して回動軸４内の導水管７に戻すようにしてもよい。
【００２６】
図８は、導水管７による植栽マット２への灌水構造の一例を示す縦断面図である。回動軸４内に挿通された導水管７から上方に湧水管７１が延設され、導水管７内の水が水圧により湧水管７１内を上昇するようになされているが、植栽マット２には、排水層２４に替えて、下部繊維集合体２３と同程度の繊維密度となされた保水層２６が設けられており、湧水管７１の出口が羽根板１を貫通して保水層２６に達していることで、湧水管７１より滲み出された水は保水層２６に供給され、繊維間での毛細管現象により保水層２６に行き渡ることで、保水層２６から下部繊維集合体２３を通じて蘚苔類植物２１への灌水が行われるようになされている。
【００２７】
また図９は、導水管７による植栽マット２への灌水構造の、他の例を示す縦断面図である。植栽マット２の排水層２４に替えて保水層２６を設けておき、羽根板１の中空部１５に導水管７を挿通させる。羽根板１の上板１１下面には、導水管７からの水が供給可能となされた横導管７２が設けられ、横導管７２から羽根板１の上板１１に略等間隔で穿設された貫通孔１６を通って横導管７２からの水が滲み出るようになされていることで、貫通孔１６から滲み出た水が保水層２６に供給されて植栽マット２への灌水がなされる。横導管７２と、上板１１に略等間隔で穿設された貫通孔１６とにより、植栽マット２への灌水が均一に近い量で行われるため、灌水量の不均一による蘚苔類植物２１の生育不良や腐敗の発生を抑止することができる。
【図面の簡単な説明】
【００２８】
【図１】本発明に係わる緑化用植栽ルーバーの、実施の一形態を示す説明図である。
【図２】羽根板の水平方向への回動を示す側断面図である。
【図３】羽根板及び植栽マットの詳細を示す縦断面図である。
【図４】植栽マットの固定方法の例を示す縦断面図である。
【図５】羽根板の断面形状の、他の例を示す縦断面図である。
【図６】本発明に係わる緑化用植栽ルーバーの、変形の一例を示す説明図である。
【図７】本発明に係わる緑化用植栽ルーバーの、灌水の方法の一例を示す説明図である。
【図８】導水管による植栽マットへの灌水の一例を示す縦断面図である。
【図９】導水管による植栽マットへの灌水の、他の例を示す縦断面図である。
【符号の説明】
【００２９】
１    羽根板
１５  中空部
２    植栽マット
２１  蘚苔類植物
２２、２３  繊維集合体
３    支柱
４    回動軸
５１  接着手段
５２  締結手段
１０  緑化用植栽ルーバー
【図１】
2007222031.tif 000003
【図２】
2007222031.tif 000004
【図３】
2007222031.tif 000005
【図４】
2007222031.tif 000006
【図５】
2007222031.tif 000007
【図６】
2007222031.tif 000008
【図７】
2007222031.tif 000009
【図８】
2007222031.tif 000010
【図９】
2007222031.tif 000011